(57)【特許請求の範囲】
【請求項１】
一部のコンテンツ情報を共有する複数の制作物に応じたページ記述データから印刷用データを作成するデータ作成装置であって、
前記ページ記述データが表す複数のページに共通する３種以上のレイヤを識別するレイヤ識別部と、
前記レイヤ識別部により識別された前記３種以上のレイヤの中から、少なくとも２種の可変レイヤ及び少なくとも１種の固定レイヤを指定するレイヤ指定部と、
前記レイヤ指定部により指定された前記少なくとも１種の固定レイヤに前記各種の可変レイヤをそれぞれ付加することで、前記複数のページで構成されるレイヤ集合体を前記可変レイヤの種類数だけ定義するレイヤ集合体定義部と、
前記レイヤ集合体定義部により定義された前記レイヤ集合体毎に前記印刷用データをそれぞれ作成するデータ作成部と
を有し、
前記レイヤ識別部は、前記レイヤの名称の類似性に基づいて各前記レイヤの種類を識別する
ことを特徴とするデータ作成装置。
【請求項２】
請求項１記載のデータ作成装置において、
前記レイヤの種類に応じたブロック状のオブジェクトを一方向に沿って順次積層することで、前記制作物毎の前記レイヤ集合体の階層構造を可視化するレイヤモデル画像を作成する画像作成部をさらに有することを特徴とするデータ作成装置。
【請求項３】
請求項２記載のデータ作成装置において、
前記画像作成部は、前記レイヤモデル画像が示す前記階層構造内の１つの階層を指示する指示操作に追従して、前記１つの階層及び該１つの階層より下の階層の各画像を重ねて可視化するサムネイル画像をさらに作成することを特徴とするデータ作成装置。
【請求項４】
請求項２又は３に記載のデータ作成装置において、
前記画像作成部により作成された前記レイヤモデル画像を表示する表示部をさらに有することを特徴とするデータ作成装置。
【請求項５】
請求項１〜４のいずれか１項に記載のデータ作成装置において、
前記レイヤ識別部は、前記複数のページのうち、指定操作に応じて指定されたページ範囲で、各前記レイヤの種類を識別することを特徴とするデータ作成装置。
【請求項６】
請求項１〜５のいずれか１項に記載のデータ作成装置において、
前記レイヤ指定部は、選択操作に応じて選択された少なくとも２種のレイヤを前記可変レイヤとして指定すると共に、選択されなかった少なくとも１種のレイヤを前記固定レイヤとして指定することを特徴とするデータ作成装置。
【請求項７】
一部のコンテンツ情報を共有する複数の制作物に応じたページ記述データから印刷用データを作成するデータ作成方法であって、
前記ページ記述データが表す複数のページに共通する３種以上のレイヤを識別する識別ステップと、
識別された前記３種以上のレイヤの中から、少なくとも２種の可変レイヤ及び少なくとも１種の固定レイヤを指定する指定ステップと、
指定された前記少なくとも１種の固定レイヤに前記各種の可変レイヤをそれぞれ付加することで、前記複数のページで構成されるレイヤ集合体を前記可変レイヤの種類数だけ定義する定義ステップと、
定義された前記レイヤ集合体毎に前記印刷用データをそれぞれ作成する作成ステップと
をコンピュータに実行させ、
前記識別ステップでは、前記レイヤの名称の類似性に基づいて各前記レイヤの種類を識別する
ことを特徴とするデータ作成方法。
【請求項８】
一部のコンテンツ情報を共有する複数の制作物に応じたページ記述データから印刷用データを作成するためのプログラムであって、
コンピュータを、
前記ページ記述データが表す複数のページに共通する３種以上のレイヤを識別するレイヤ識別部、
前記レイヤ識別部により識別された前記３種以上のレイヤの中から、少なくとも２種の可変レイヤ及び少なくとも１種の固定レイヤを指定するレイヤ指定部、
前記レイヤ指定部により指定された前記少なくとも１種の固定レイヤに前記各種の可変レイヤをそれぞれ付加することで、前記複数のページで構成されるレイヤ集合体を前記可変レイヤの種類数だけ定義するレイヤ集合体定義部、
前記レイヤ集合体定義部により定義された前記レイヤ集合体毎に前記印刷用データをそれぞれ作成するデータ作成部
として機能させ、
前記レイヤ識別部は、前記レイヤの名称の類似性に基づいて各前記レイヤの種類を識別する
ことを特徴とするプログラム。
【発明の詳細な説明】
【技術分野】
【０００１】
本発明は、一部のコンテンツ情報を共有する複数の制作物に応じたページ記述データから印刷用データを作成するデータ作成装置、方法及びプログラムに関する。
【背景技術】
【０００２】
近時、印刷分野において、ＤＴＰ（DeskTop Publishing）やＣＴＰ（Computer To Plate）の普及により、印刷工程のワークフローが全体的にデジタル化されている。特に、一部のコンテンツ情報を共有する複数の制作物（具体例として、多国語対応のマニュアル）を効率よく生産する手法として、バージョニングに関する技術が種々提案されている。
【０００３】
特許文献１では、コントーン用及びラインワーク用の入力系統にマスタデータ及びバリアブルデータをそれぞれ割り当て、２系統の画像データのそれぞれを重畳して出力する装置が提案されている。
【０００４】
特許文献２では、第１ページデータが記述されたスクリプトを解析し、記憶媒体に既に記憶されている第２ページデータに一致する場合、第１ページデータを処理せずに第２ページデータのＲＩＰ済みデータを再利用する装置及び方法が提案されている。
【先行技術文献】
【特許文献】
【０００５】
【特許文献１】特開２００５−３１０１１５号公報
【特許文献２】特開２０１０−１２８９４１号公報
【発明の概要】
【発明が解決しようとする課題】
【０００６】
ところで、上記した複数の制作物（例えば、多国語対応のマニュアル）を作成するに際し、ページ記述データのレイヤ機能を用いることが作業者にとって便宜である。なぜならば、コンテンツ情報を１つのデータファイルに集約でき、ファイルの管理工数を削減できるからである。この場合、共有するコンテンツ情報を１つのレイヤに、制作物毎に異なるコンテンツ情報を他の各レイヤにそれぞれ格納する形態が想定される。
【０００７】
しかしながら、特許文献１及び２に記載された装置等では、この種のページ記述データが、複数の制作物に関するコンテンツ情報を備える点について識別できなかった。この場合、作業者は、ユーザ・インターフェースを介した所定の操作により、各制作物に適したレイヤの組み合わせを一々選択・設定しなければならず、煩に堪えなかった。
【０００８】
本発明は上記した問題を解決するためになされたもので、レイヤ機能を備えるページ記述データの編集に関する作業効率を大幅に向上可能なデータ作成装置、方法及びプログラムを提供することを目的とする。
【課題を解決するための手段】
【０００９】
本発明に係るデータ作成装置は、一部のコンテンツ情報を共有する複数の制作物に応じたページ記述データから印刷用データを作成する装置であって、前記ページ記述データが表す複数のページに共通する３種以上のレイヤを識別するレイヤ識別部と、前記レイヤ識別部により識別された前記３種以上のレイヤの中から、少なくとも２種の可変レイヤ及び少なくとも１種の固定レイヤを指定するレイヤ指定部と、前記レイヤ指定部により指定された前記少なくとも１種の固定レイヤに前記各種の可変レイヤをそれぞれ付加することで、前記複数のページで構成されるレイヤ集合体を前記可変レイヤの種類数だけ定義するレイヤ集合体定義部と、前記レイヤ集合体定義部により定義された前記レイヤ集合体毎に前記印刷用データをそれぞれ作成するデータ作成部とを有し、前記レイヤ識別部は、前記レイヤの名称の類似性に基づいて各前記レイヤの種類を識別する。
【００１０】
このように、３種以上のレイヤの中から少なくとも２種の可変レイヤ及び少なくとも１種の固定レイヤを指定するレイヤ属性指定部と、指定された前記少なくとも１種の固定レイヤに前記各種の可変レイヤをそれぞれ付加することで、複数のページで構成されるレイヤ集合体を前記可変レイヤの種類数だけ定義する集合体定義部とを設けたので、可変レイヤ及び固定レイヤの指定形態に応じて、想定される制作物単位でのレイヤ集合体を自動的に構成できる。これにより、レイヤ機能を備えるページ記述データの編集に関する作業効率を大幅に向上できる。また、レイヤの名称の類似性に基づいて各レイヤの種類を識別するので、名称の表記揺れに対する頑健性が高くなり、作業効率が一層向上する。
【００１１】
また、前記レイヤの種類に応じたブロック状のオブジェクトを一方向に沿って順次積層することで、前記制作物毎の前記レイヤ集合体の階層構造を可視化するレイヤモデル画像を作成する画像作成部をさらに有することが好ましい。また、前記画像作成部は、前記レイヤモデル画像が示す前記階層構造内の１つの階層を指示する指示操作に追従して、前記１つの階層及び該１つの階層より下の階層の各画像を重ねて可視化するサムネイル画像をさらに作成することが好ましい。また、前記画像作成部により作成された前記レイヤモデル画像を表示する表示部をさらに有することが好ましい。
【００１２】
また、前記レイヤ識別部は、前記複数のページのうち、指定操作に応じて指定されたページ範囲で、各前記レイヤの種類を識別することが好ましい。また、前記レイヤ指定部は、選択操作に応じて選択された少なくとも２種のレイヤを前記可変レイヤとして指定すると共に、選択されなかった少なくとも１種のレイヤを前記固定レイヤとして指定することが好ましい。
【００１３】
本発明に係るデータ作成方法は、一部のコンテンツ情報を共有する複数の制作物に応じたページ記述データから印刷用データを作成する方法であって、前記ページ記述データが表す複数のページに共通する３種以上のレイヤを識別する識別ステップと、識別された前記３種以上のレイヤの中から、少なくとも２種の可変レイヤ及び少なくとも１種の固定レイヤを指定する指定ステップと、指定された前記少なくとも１種の固定レイヤに前記各種の可変レイヤをそれぞれ付加することで、前記複数のページで構成されるレイヤ集合体を前記可変レイヤの種類数だけ定義する定義ステップと、定義された前記レイヤ集合体毎に前記印刷用データをそれぞれ作成する作成ステップとをコンピュータに実行させ、前記識別ステップでは、前記レイヤの名称の類似性に基づいて各前記レイヤの種類を識別する。
【００１４】
本発明に係るプログラムは、一部のコンテンツ情報を共有する複数の制作物に応じたページ記述データから印刷用データを作成するためのプログラムであって、コンピュータを、前記ページ記述データが表す複数のページに共通する３種以上のレイヤを識別するレイヤ識別部、前記レイヤ識別部により識別された前記３種以上のレイヤの中から、少なくとも２種の可変レイヤ及び少なくとも１種の固定レイヤを指定するレイヤ指定部、前記レイヤ指定部により指定された前記少なくとも１種の固定レイヤに前記各種の可変レイヤをそれぞれ付加することで、前記複数のページで構成されるレイヤ集合体を前記可変レイヤの種類数だけ定義するレイヤ集合体定義部、前記レイヤ集合体定義部により定義された前記レイヤ集合体毎に前記印刷用データをそれぞれ作成するデータ作成部として機能させ、前記レイヤ識別部は、前記レイヤの名称の類似性に基づいて各前記レイヤの種類を識別する。
【発明の効果】
【００１５】
本発明に係るデータ作成装置、方法及びプログラムによれば、３種以上のレイヤの中から少なくとも２種の可変レイヤ及び少なくとも１種の固定レイヤを指定し、指定された前記少なくとも１種の固定レイヤに前記各種の可変レイヤをそれぞれ付加することで、複数のページで構成されるレイヤ集合体を前記可変レイヤの種類数だけ定義するようにしたので、可変レイヤ及び固定レイヤの指定形態に応じて、想定される制作物単位でのレイヤ集合体を自動的に構成できる。これにより、レイヤ機能を備えるページ記述データの編集に関する作業効率を大幅に向上できる。また、レイヤの名称の類似性に基づいて各レイヤの種類を識別するので、名称の表記揺れに対する頑健性が高くなり、作業効率が一層向上する。
【図面の簡単な説明】
【００１６】
【図１】本実施の形態に係るデータ作成装置としてのＲＩＰ装置を組み込んだ印刷物生産システムの概略構成図である。
【図２】図１に示すＲＩＰ装置の電気的なブロック図である。
【図３】図１及び図２に示すＲＩＰ装置の動作説明に供されるフローチャートである。
【図４】設定画面の一例を表す第１画像図である。
【図５】図５Ａは、印刷対象としてのコンテンツ情報の配置例を示す正面図である。図５Ｂは、図５Ａの配置形態を実現するレイヤ構造を示す概略図である。
【図６】複数のページからなるページ記述データの概略構成図である。
【図７】指定画面の一例を表す画像図である。
【図８】設定画面の一例を表す第２画像図である。
【図９】図６のレイヤ構造を編集することで得られた４種類のレイヤ集合体を示す概略構成図である。
【図１０】指定画面の別の一例を表す第１画像図である。
【図１１】指定画面の別の一例を表す第２画像図である。
【発明を実施するための形態】
【００１７】
以下、本発明に係るデータ作成方法について、これを実施するデータ作成装置、プログラム及び印刷物生産システムとの関係において好適な実施形態を挙げ、添付の図面を参照して説明する。
【００１８】
図１は、本実施の形態に係るデータ作成装置としてのＲＩＰ装置２０を組み込んだ印刷物生産システム１０の概略構成図である。
【００１９】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したコンテンツデータの編集等を含むＤＴＰ（Desktop Publishing）処理を行うためのＤＴＰ端末１８と、ＤＴＰ端末１８により作成された校正データ（又は製版データ）に基づいてラスタライズ処理や色変換処理等の各画像処理を実行するＲＩＰ装置２０（データ作成装置）と、ＲＩＰ装置２０から送信された処理済みの校正データに基づいてプルーフ２２を印刷可能である校正機２４と、ＲＩＰ装置２０から送信された製版データに基づいて刷版２６を作製するプレートセッタ２８と、刷版２６を装着して印刷物３０を印刷可能であるオフセット印刷機３２とがそれぞれ設けられている。
【００２０】
サーバ装置１６は、印刷物生産システム１０におけるワークフロー管理の中核をなす装置である。サーバ装置１６は、ルータ１４及びネットワーク１２を介して、デザイナ及び／又は制作会社（図示しない。）が備える各端末装置に通信可能に接続されている。また、サーバ装置１６は、印刷物生産システム１０内に構築されたＬＡＮ（Local Area Network）３４を介して、ＤＴＰ端末１８、ＲＩＰ装置２０及びプレートセッタ２８に通信可能に接続されている。
【００２１】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。なお、ファイルサーバとして管理可能な各種データファイルには、例えば、コンテンツデータ、校正データ、製版データ、ジョブチケット｛例えば、ＪＤＦ（Job Definition Format）ファイル｝、ＩＣＣ（International Color Consortium）プロファイル、色見本データ等が含まれる。
【００２２】
ＤＴＰ端末１８は、文字、図形、絵柄や写真等から構成されるコンテンツデータに対してプリフライト処理を施した後、ページ単位の編集データを作成する。また、ＤＴＰ端末１８は、ジョブチケットのタグ情報を参照しながら、指定された綴じ方法や紙折り方法に応じた面付け処理を行う。
【００２３】
ＲＩＰ装置２０は、少なくとも１種の印刷機に対する印刷処理サーバとして機能するコンピュータである。図１例では、ＲＩＰ装置２０は、校正機２４と、プレートセッタ２８とに通信可能に接続されている。この場合、ＲＩＰ装置２０は、ページ記述言語で記述されたデータ（以下、ページ記述データＤｐという）を各出力デバイスに適した印刷用データに変換し、該印刷用データを校正機２４（又はプレートセッタ２８）に供給する。
【００２４】
ここで、「ページ記述言語（ＰＤＬ）」とは、印刷や表示等の出力単位である「ページ」内で文字、図形等の書式情報、位置情報、色情報（濃度情報を含む）等の画像情報を記述する言語である。ページ記述言語として、例えば、ＰＤＦ（”Portable Document Format”の略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（XML Paper Specification）が挙げられる。本実施の形態におけるページ記述データＤｐは、複数のレイヤを重ね合わせることで各ページの描画形態を表現可能である。
【００２５】
校正機２４は、ＲＩＰ装置２０から供給された印刷用データに基づいてプルーフ２２を印刷する。校正機２４として、ＤＤＣＰ（Direct Digital Color Proofing）、インクジェットカラープルーファ、低解像度のカラーレーザプリンタ（電子写真方式）又はインクジェットプリンタ等を用いてもよい。
【００２６】
オフセット印刷機３２は、刷版２６及び図示しない中間転写体を介して、インキを被印刷体（メディア）上に付着させることで、印刷物３０を形成する。なお、オフセット印刷機３２に代替して、ダイレクト印刷のためのデジタル印刷機を設けてもよい。デジタル印刷機としては、インクジェットカラープルーファやカラーレーザプリンタ（電子写真方式）等を用いてもよい。
【００２７】
図２は、図１に示すＲＩＰ装置２０の電気的なブロック図である。ＲＩＰ装置２０は、制御部３６と、通信Ｉ／Ｆ３８と、表示制御部４０と、表示部４２と、入力部４４と、印刷Ｉ／Ｆ４６と、メモリ４８（記憶媒体）とを備える。
【００２８】
通信Ｉ／Ｆ３８は、外部装置からの電気信号を送受信するインターフェースである。例えば、サーバ装置１６（図１参照）内で管理・保存された校正データ、製版データ、ＩＣＣプロファイル等の各種情報を取得可能である。
【００２９】
表示制御部４０は、制御部３６の制御に従って、表示部４２を駆動制御する制御回路である。表示制御部４０が、図示しないＩ／Ｆを介して、表示制御信号を表示部４２に出力することで、表示部４２が駆動する。これにより、表示部４２は、ウィンドウＷ１（図４等参照）、Ｗ２（図７等参照）を含む各種画像を表示することができる。
【００３０】
印刷Ｉ／Ｆ４６は、印刷用データとしての電気信号を送信するインターフェースである。これにより、校正機２４は、所望のプルーフ２２を印刷することができる。
【００３１】
メモリ４８は、制御部３６が各構成要素を制御するのに必要なプログラム及びデータ等を記憶している。メモリ４８は、不揮発性のメモリ、ハードディスク等の記憶媒体であってよい。
【００３２】
制御部３６は、ＣＰＵ（Central Processing Unit）等のプロセッサによって構成されている。制御部３６は、メモリ４８に格納されたプログラムを読み出し実行することで、レイヤ処理部５０、表示用データ作成部５２、及び印刷用データ作成部５４の各機能を実現可能である。
【００３３】
レイヤ処理部５０は、ページ記述データＤｐに対してレイヤに関する各種処理（以下、レイヤ処理と称する）することで、ページ記述データＤｐのレイヤ構造を再構成する。具体的には、レイヤ処理部５０は、複数のページに共通する３種以上のレイヤを識別するレイヤ識別部５６と、識別された３種以上のレイヤの中から可変レイヤ及び固定レイヤの種類をそれぞれ指定するレイヤ指定部５８と、指定された可変レイヤ及び固定レイヤの種類を所定の規則に従って組み合わせたレイヤ集合体をそれぞれ定義するレイヤ集合体定義部６０とを備える。
【００３４】
表示用データ作成部５２は、設定画面８０（図４等参照）及び指定画面１２０（図７等参照）を作成する画面作成部６２と、制作物毎のレイヤ構造を可視表示するための画像（以下、レイヤモデル画像１５０という）を作成するレイヤモデル画像作成部６４とを備える。
【００３５】
印刷用データ作成部５４は、ページ記述データＤｐに対して所望の画像処理を施すことで、プルーフ２２（又は印刷物３０）を表す印刷用データを作成する。具体的には、印刷用データ作成部５４は、ページ記述データＤｐに対してラスタライズ処理を実行するラスタライズ処理部６６を備える。このラスタライズ処理には、ＰＤＬ形式からラスタ形式に変換するデータ形式変換処理と、ＩＣＣプロファイルを用いたカラーマッチング処理とが含まれる。
【００３６】
入力部４４は、マウス、トラックボール、キーボード等の種々の入力デバイスで構成される。入力部４４は、レイヤに関する各種情報（以下、レイヤ情報という）を入力するレイヤ情報入力部６８と、レイヤ処理部５０によるレイヤ処理の内容を決定・指示する決定指示部７０として機能する。
【００３７】
本実施の形態に係るデータ作成装置としてのＲＩＰ装置２０は、以上のように構成される。続いて、ＲＩＰ装置２０の動作について図３のフローチャートを参照しながら詳細に説明する。
【００３８】
ステップＳ１において、ＲＩＰ装置２０は、印刷の設定に供される設定画面８０の表示を行う。設定を開始する旨の指示に応じて、画面作成部６２は、設定画面８０の表示用データを作成した後、該表示用データを表示制御部４０に供給する。そして、表示制御部４０は、ウィンドウＷ１（設定画面８０を含む。）を表示部４２に表示させる。
【００３９】
図４に示すように、設定画面８０上には、ファイル指定欄８２、ページ指定欄８４、ジョブ構造一覧８６、及びボタン群８８がそれぞれ配置されている。ここで、ボタン群８８（特に［保存］ボタン）は、レイヤ処理の内容を決定・指示する決定指示部７０（図２参照）としての機能を担う。
【００４０】
ステップＳ２において、レイヤ処理部５０は、設定画面８０を介して、ページ記述データＤｐの選択指示があったか否かを判別する。具体的には、ファイル指定欄８２上部に存在するボタン９０のクリックをトリガとした、所定の操作があったか否かを判別する。本図例では、所定の操作に応じて、ファイル名が「Ｆｉｌｅ．ｐｄｆ」であるページ記述データＤｐが選択されたとする。この場合、ファイル指定欄８２の所定位置に、当該データファイルを模したアイコン９２が１つ表示される。
【００４１】
また、ページ指定欄８４上部に存在するボタン９４のクリック操作に応じて、本レイヤ処理を適用するページ範囲を指定可能である。本図例では、ページ指定欄８４の所定位置に、第１〜第３ページにおけるサムネイル画像９６ａ、９６ｂ、９６ｃが上下方向に並んで表示されている。
【００４２】
ステップＳ３において、レイヤ識別部５６は、ステップＳ２で指定されたページ記述データＤｐが表す、複数のページに共通するレイヤの種類をそれぞれ識別する。以下、ページ記述データＤｐの構成例について、図５Ａ〜図６を参照しながら説明する。
【００４３】
図５Ａは、印刷対象としてのコンテンツ情報の配置例を示す正面図である。第１〜第３ページに共通するサイズのページ領域２００のうち、その一部にロゴ領域２０２、その残余部にテキスト領域２０４がそれぞれ設けられている。なお、第１及び第３ページにおけるロゴ領域２０２はページ領域２００の左下隅に、第２ページにおけるロゴ領域２０２は右下隅にそれぞれ存在するものと仮定する。
【００４４】
テキスト領域２０４内には、英語、フランス語、ドイツ語、及びスペイン語のうちのいずれか１つの言語に応じたテキスト情報が配置される。一方、ロゴ領域２０２内には、言語の種類にかかわらず同一のロゴマークが配置される。
【００４５】
図５Ｂは、図５Ａの配置形態を実現するレイヤ構造を示す概略図である。第１ページを表すページデータ２１０は、下方から順に、レイヤの名称（以下、単に「名称」ともいう）が「Ｌｏｇｏ  ｍａｒｋ」である第１レイヤ２１１、名称が「Ｅｎｇｌｉｓｈ」である第２レイヤ２１２、名称が「Ｆｒｅｎｃｈ」である第３レイヤ２１３、名称が「Ｇｅｒｍａｎ」である第４レイヤ２１４、及び、名称が「Ｓｐａｎｉｓｈ」である第５レイヤ２１５が順次積層されてなる。
【００４６】
第１レイヤ２１１上のロゴ領域２０２（図５Ａ参照）に対応する箇所（実線で囲む領域）に、ロゴの模様を表すレイヤデータが存在している。第２レイヤ２１２〜第５レイヤ２１５上のテキスト領域２０４（図５Ａ参照）に対応する箇所（実線で囲む領域）に、各言語による文面（テキスト）を表すレイヤデータが存在している。このように、ページ記述データＤｐのレイヤ機能を用いることで、コンテンツ情報を１つのデータファイルに集約可能であり、ファイルの管理上の観点から便宜である。
【００４７】
図６に示すように、ページ記述データＤｐ（レイヤ構造２０６）は、３つのページデータ２１０、２２０、２３０を備えている。ページデータ２２０、２３０は、ページデータ２１０（図５Ｂ参照）と同様のレイヤ構造を備えている。すなわち、第２ページを表すページデータ２２０は、下方から順に、名称が「Ｌｏｇｏ  ｍａｒｋ」である第１レイヤ２２１、名称が「Ｅｎｇｌｉｓｈ」である第２レイヤ２２２、名称が「Ｆｒｅｎｃｈ」である第３レイヤ２２３、名称が「Ｇｅｒｍａｎ」である第４レイヤ２２４、及び、名称が「Ｓｐａｎｉｓｈ」である第５レイヤ２２５が順次積層されてなる。また、第３ページを表すページデータ２３０は、下方から順に、名称が「Ｌｏｇｏ  ｍａｒｋ」である第１レイヤ２３１、名称が「Ｅｎｇｌｉｓｈ」である第２レイヤ２３２、名称が「Ｆｒｅｎｃｈ」である第３レイヤ２３３、名称が「Ｇｅｒｍａｎ」である第４レイヤ２３４、及び、名称が「Ｓｐａｎｉｓｈ」である第５レイヤ２３５が順次積層されてなる。
【００４８】
図６に示す構成例の場合、レイヤ識別部５６は、ページ記述データＤｐの各ページに共通する５種類のレイヤ、「Ｌｏｇｏ  ｍａｒｋ」、「Ｅｎｇｌｉｓｈ」、「Ｆｒｅｎｃｈ」、「Ｇｅｒｍａｎ」及び「Ｓｐａｎｉｓｈ」をそれぞれ識別する。
【００４９】
なお、レイヤ識別部５６は、レイヤの名称の類似性に基づいて各レイヤの種類を識別してもよい。例えば、第１レイヤ２１１、２２１の名称が「Ｌｏｇｏ  ｍａｒｋ」であり、第１レイヤ２３１の名称が「Ｌｏｇｏ  Ｍａｒｋ」であったとする。この場合、レイヤ識別部５６は、アルファベット「Ｍ」と「ｍ」の差異があるものの両者の名称は類似しているとして、第１レイヤ２１１、２２１、２３１を同じ種類として識別する。これにより、レイヤ名称の表記揺れに対する頑健性が高くなり、作業効率が一層向上する。
【００５０】
そして、ステップＳ２に戻って、レイヤ処理部５０は、ページ記述データＤｐの更なる選択指示があったか否かを判別する。ここで、設定画面８０（図４参照）のボタン９０、９４のクリック操作等により、データファイル又はページ範囲の変更があった場合、レイヤ識別部５６はその度にレイヤを識別する（ステップＳ３）。一方、選択指示がなかったと判別された場合、次のステップ（Ｓ４）に進む。
【００５１】
ステップＳ４において、レイヤ処理部５０は、ステップＳ３で識別された３種以上のレイヤの中から、可変レイヤ及び固定レイヤの種類を指定する旨の指示があったか否かを判別する。
【００５２】
ジョブ構造一覧８６（図４参照）上部に存在するボタン９８のクリック操作に応じて、画面作成部６２は、指定画面１２０の表示用データを作成した後、該表示用データを表示制御部４０に供給する。そして、表示制御部４０は、ウィンドウＷ２（指定画面１２０を含む。）を表示部４２に表示させる。
【００５３】
図７に示すように、指定画面１２０には、可変レイヤの種類等を指定するための指定欄１２２と、ボタン群１２４とがそれぞれ配置されている。指定欄１２２には、ページ記述データＤｐのファイル名を示す小欄１２６と、レイヤの名称を示す小欄１２８と、可変レイヤの種類の指定又はその解除を行うための５つのチェックボックス１３０ａ〜１３０ｅと、レイヤ集合体の名称を示すテキストボックス群１３２とがそれぞれ設けられている。
【００５４】
ここで、各チェックボックス１３０ａ〜１３０ｅ、テキストボックス群１３２、及びボタン群１２４は、レイヤ情報を入力するレイヤ情報入力部６８（図２参照）としての機能を担う。例えば、作業者は、４つのチェックボックス１３０ｂ〜１３０ｅにチェックをそれぞれ付した状態下で、ボタン群１２４のうち［ＯＫ］ボタンをクリックする。そうすると、ウィンドウＷ２（図７参照）が閉じられた後、図４の設定画面８０内のうちジョブ構造一覧８６の内容が更新される。
【００５５】
図８に示すように、更新後のジョブ構造一覧８６には、階層図１００（図４参照）と異なる階層図１０２が表示される。ツリー構造で表現された階層図１０２は、テキストボックス群１３２（図７参照）を介して入力された名称を有する、セクション毎のページ構成図１０４ｅ、１０４ｆ、１０４ｇ、１０４ｓから構成される。
【００５６】
レイヤ処理部５０は、設定画面８０（図４及び図８参照）上のボタン群８８（特に［保存］ボタン）のクリック操作があったか否かを判別する。操作がなかったと判別された場合、ステップＳ２に戻って、以下ステップＳ２〜Ｓ４を繰り返す。一方、操作があったと判別された場合、次のステップ（Ｓ５）に進む。
【００５７】
ステップＳ５において、レイヤ指定部５８は、ステップＳ４での指示結果に応じて、少なくとも２種の可変レイヤ及び少なくとも１種の固定レイヤをそれぞれ指定する。具体的には、レイヤ指定部５８は、指定画面１２０上で選択された４種のレイヤ、すなわち「Ｅｎｇｌｉｓｈ」、「Ｆｒｅｎｃｈ」、「Ｇｅｒｍａｎ」及び「Ｓｐａｎｉｓｈ」の各種レイヤを可変レイヤとして指定する。一方、レイヤ指定部５８は、選択されなかった残余の１種のレイヤ、すなわち「Ｌｏｇｏ  ｍａｒｋ」のレイヤを固定レイヤとして指定する。
【００５８】
ステップＳ６において、レイヤ集合体定義部６０は、ステップＳ５で指定された可変レイヤ及び固定レイヤの種類の組み合わせから、少なくとも２つのレイヤ集合体（本実施の形態では、４つのレイヤ集合体）を定義する。ここでは、少なくとも１種の固定レイヤに各種可変レイヤをそれぞれ付加することで、ページ記述データＤｐのレイヤ構造を再構成する。以下、その結果について図９を参照しながら説明する。
【００５９】
図９に示すページ記述データＤｐ（レイヤ構造２０８）は、４つのレイヤ集合体２４０ｅ、２４０ｆ、２４０ｇ、２４０ｓを備えている。
【００６０】
レイヤ集合体２４０ｅは、ページ毎の可変レイヤ「Ｅｎｇｌｉｓｈ」をそれぞれ集約して得た、英語版を表すページデータ群である。より詳細には、第１ページは、第１レイヤ２１１及び第２レイヤ２１２が積層されてなる。また、第２ページは、第１レイヤ２２１及び第２レイヤ２２２が積層されてなる。さらに、第３ページは、第１レイヤ２３１及び第２レイヤ２３２が積層されてなる。
【００６１】
レイヤ集合体２４０ｆは、ページ毎の可変レイヤ「Ｆｒｅｎｃｈ」をそれぞれ集約して得た、フランス語版を表すページデータ群である。より詳細には、第１ページは、第１レイヤ２１１及び第３レイヤ２１３が積層されてなる。また、第２ページは、第１レイヤ２２１及び第３レイヤ２２３が積層されてなる。さらに、第３ページは、第１レイヤ２３１及び第３レイヤ２３３が積層されてなる。
【００６２】
レイヤ集合体２４０ｇは、ページ毎の可変レイヤ「Ｇｅｒｍａｎ」をそれぞれ集約して得た、ドイツ語版を表すページデータ群である。より詳細には、第１ページは、第１レイヤ２１１及び第４レイヤ２１４が積層されてなる。また、第２ページは、第１レイヤ２２１及び第４レイヤ２２４が積層されてなる。さらに、第３ページは、第１レイヤ２３１及び第４レイヤ２３４が積層されてなる。
【００６３】
レイヤ集合体２４０ｓは、ページ毎の可変レイヤ「Ｓｐａｎｉｓｈ」をそれぞれ集約して得た、スペイン語版を表すページデータ群である。より詳細には、第１ページは、第１レイヤ２１１及び第５レイヤ２１５が積層されてなる。また、第２ページは、第１レイヤ２２１及び第５レイヤ２２５が積層されてなる。さらに、第３ページは、第１レイヤ２３１及び第５レイヤ２３５が積層されてなる。
【００６４】
なお、本実施の形態では、レイヤ集合体定義部６０は、各レイヤの組み合わせに関するデータ（以下、集合体データという）を作成する。ここで、図９に例示する結果を踏まえて、１つのページ記述データＤｐから各レイヤ集合体２４０ｅ、２４０ｆ、２４０ｇ、２４０ｓに応じたページ記述データをそれぞれ作成してもよい。
【００６５】
ステップＳ７において、印刷用データ作成部５４は、ステップＳ６で定義されたレイヤ集合体毎に印刷用データをそれぞれ作成する。ラスタライズ処理部６６は、ＩＣＣプロファイルを含む各種処理条件に基づいて、ページ記述データＤｐに対してラスタライズ処理を実行する。実行の際、ラスタライズ処理部６６は、レイヤ集合体定義部６０から供給された集合体データを参照し、ラスタ形式の画像データを再構成することで、レイヤ構造２０８（図９参照）を実現する。例えば、固定レイヤに応じたレイヤデータを標準色版データ（例えば、ＣＭＹＫ版）として適用するとともに、可変レイヤに応じたレイヤデータを特色版データとして適用することで、既存のラスタライズ処理の仕組みをそのまま流用できる。
【００６６】
なお、ステップＳ６で、各レイヤ集合体２４０ｅ、２４０ｆ、２４０ｇ、２４０ｓに応じたページ記述データをそれぞれ作成した場合、４つに分割された印刷ジョブとして順次実行することで同様の結果が得られる。
【００６７】
ステップＳ８において、校正・印刷工程を実行する。ＲＩＰ装置２０は、ステップＳ７で作成された印刷用データを校正機２４（又はプレートセッタ２８）側に供給する。これにより、校正機２４（又はオフセット印刷機３２）は、プルーフ２２（又は印刷物３０）を形成可能である。
【００６８】
以上のように、ＲＩＰ装置２０は、ページ記述データＤｐが表す複数のページに共通する３種以上のレイヤ（例えば、第１レイヤ２１１〜第５レイヤ２１５）を識別するレイヤ識別部５６と、レイヤ識別部５６により識別された３種以上のレイヤの中から、少なくとも２種の可変レイヤ（例えば、第２レイヤ２１２〜第５レイヤ２１５）及び少なくとも１種の固定レイヤ（例えば、第１レイヤ２１１）を指定するレイヤ指定部５８と、レイヤ指定部５８により指定された少なくとも１種の固定レイヤに各可変レイヤをそれぞれ付加することで、複数のページで構成されるレイヤ集合体２４０ｅ、２４０ｆ、２４０ｇ、２４０ｓを可変レイヤの種類数だけ定義するレイヤ集合体定義部６０と、レイヤ集合体定義部６０により定義されたレイヤ集合体毎に印刷用データをそれぞれ作成する印刷用データ作成部５４とを有する。
【００６９】
このように、３種以上のレイヤの中から少なくとも２種の可変レイヤ及び少なくとも１種の固定レイヤを指定し、指定された少なくとも１種の固定レイヤに各可変レイヤをそれぞれ付加することで、複数のページで構成されるレイヤ集合体を可変レイヤの種類数だけ定義するようにしたので、可変レイヤ及び固定レイヤの指定形態に応じて、想定される制作物単位でのレイヤ集合体２４０ｅ等を自動的に構成できる。これにより、レイヤ機能を備えるページ記述データＤｐの編集に関する作業効率を大幅に向上できる。
【００７０】
ところで、図７の指定欄１２２では、レイヤの組み合わせが複雑なレイヤ集合体を定義することは困難である。そこで、各制作物のレイヤ構造を一見して把握可能なグラフィック・ユーザ・インターフェースを構築してもよい。ボタン９８（図４参照）のクリック操作に応じて、画面作成部６２は、指定画面１２０（図７参照）と異なる指定画面１４０の表示用データを作成した後、該表示用データを表示制御部４０に供給する。そして、表示制御部４０は、ウィンドウＷ３（指定画面１４０を含む。）を表示部４２に表示させる。
【００７１】
図１０に示すように、指定画面１４０には、第１表示欄１４２と、第２表示欄１４４と、ボタン群１４６とがそれぞれ設けられている。
【００７２】
第１表示欄１４２内には、各レイヤの種類に応じたブロック状のオブジェクト（以下、単に「ブロック」ともいう）がそれぞれ表示されている。例えば、表示内容１４８は、「レイヤＡ」のブロックが「Ｌｏｇｏ  ｍａｒｋ」レイヤに対応することを示唆する。なお、オブジェクトの形状は、矩形に限られず、上辺及び下辺が略直線状であれば種類は問わない。
【００７３】
第２表示欄１４４内には、レイヤモデル画像１５０、スライドバー１５２、複数のサムネイル画像１５４、及びスピンボックス１５６が表示されている。
【００７４】
レイヤモデル画像１５０は、レイヤの種類に応じたブロック状のオブジェクトを一方向（本図例では上下方向）に沿って順次積層してなる。すなわち、レイヤモデル画像１５０は、制作物毎のレイヤ集合体の構造を可視化する。本図では、固定レイヤ「Ｌｏｇｏ  ｍａｒｋ」を示すレイヤＡ（最下層のブロック１５８）の直上に、４種類の可変レイヤ「Ｅｎｇｌｉｓｈ」、「Ｆｒｅｎｃｈ」、「Ｇｅｒｍａｎ」及び「Ｓｐａｎｉｓｈ」をそれぞれ示すレイヤＢ〜Ｅが積層されている。これにより、制作物毎のレイヤ集合体２４０ｅ、２４０ｆ、２４０ｇ、２４０ｓの構造が、一方向の直交方向（本図例では左右方向）に沿って配置・可視化されている。
【００７５】
スライドバー１５２は、サムネイル画像１５４における各レイヤの透過率を変更可能に設けられている。本図例のサムネイル画像１５４では、スライドバー１５２が現在指示するブロック１５８、すなわちレイヤＡ及びその下層が可視表示され、これより上層のレイヤＢ〜Ｅが不可視（透明）表示されている。
【００７６】
スピンボックス１５６は、現在表示されているサムネイル画像１５４のページ番号を変更可能に設けられている。本図に示すサムネイル画像１５４は、ロゴ領域２０２が左下隅に配置された第１ページ目をそれぞれ描画している。
【００７７】
レイヤモデル画像１５０の右方に配された［追加］ボタン１６０のクリック操作に応じて、レイヤモデル画像１５０全体の左右方向の幅が変化する。これにより、制作物の数（本図例では４つ）を自在に変更できる。
【００７８】
以下、図５Ａ〜図６に示した形態と異なる別の制作物の例について、図１１の表示例を参照しながら説明する。例えば、レイヤ処理の対象であるページ記述データＤｐは、段組みがないレイアウト（英語の原文）、及び、２段組のレイアウト（左段が英語、右段がその対訳）を含んでいるとする。
【００７９】
図１１に示すように、第１表示欄１４２内の表示内容１６２は、「レイヤＡ」のブロックが「Ｏｒｉｇｉｎａｌ」レイヤ（英語の原文）に対応することを示唆する。
【００８０】
レイヤモデル画像１５０は、制作物毎のレイヤ集合体の構造を可視化する。本図では、固定レイヤ「Ｅｎｇｌｉｓｈ」（左段の内容）を示すレイヤＢの直上に、３種類の可変レイヤ「Ｆｒｅｎｃｈ」、「Ｇｅｒｍａｎ」及び「Ｓｐａｎｉｓｈ」（右段の内容）をそれぞれ示すレイヤＣ〜Ｅが積層されている。さらに、レイヤＢ〜Ｅのいずれの直上ではない別の位置（本図例では、レイヤＣの左上方）に、独立したレイヤＡ（ブロック１６４）が配置されている。なお、本図例のサムネイル画像１５４では、スライドバー１５２が現在指示するレイヤＣ〜Ｅ及びその下層（レイヤＢ）が可視表示され、これより上層のレイヤＡが不可視（透明）表示されている。
【００８１】
このように、作業者は、レイヤの種類に応じたブロック状のオブジェクト（ブロック１５８、１６４等）を一方向に沿って順次積層するレイヤモデル画像１５０（図１０及び図１１参照）を視認することで、各制作物のレイヤ構造を感覚的に且つ容易に把握できる。
【００８２】
なお、この発明は、上述した実施形態に限定されるものではなく、この発明の主旨を逸脱しない範囲で自由に変更できることは勿論である。
【符号の説明】
【００８３】
１０…印刷物生産システム                  ２０…ＲＩＰ装置
２２…プルーフ                            ２４…校正機
３０…印刷物                              ３２…オフセット印刷機
３６…制御部                              ４２…表示部
４８…メモリ                              ５０…レイヤ処理部
５４…印刷用データ作成部                  ５６…レイヤ識別部
５８…レイヤ指定部                        ６０…レイヤ集合体定義部
６４…レイヤモデル画像作成部              ８０…設定画面
１２０、１４０…指定画面                  １５０…レイヤモデル画像
２１０、２２０、２３０…ページデータ      ２１１、２２１、２３１…第１レイヤ
２１２、２２２、２３２…第２レイヤ        ２１３、２２３、２３３…第３レイヤ
２１４、２２４、２３４…第４レイヤ        ２１５、２２５、２３５…第５レイヤ
２４０ｅ、２４０ｆ、２４０ｇ、２４０ｓ…レイヤ集合体
【図１】
0005591866.tif 000002
【図２】
0005591866.tif 000003
【図３】
0005591866.tif 000004
【図４】
0005591866.tif 000005
【図５】
0005591866.tif 000006
【図６】
0005591866.tif 000007
【図７】
0005591866.tif 000008
【図８】
0005591866.tif 000009
【図９】
0005591866.tif 000010
【図１０】
0005591866.tif 000011
【図１１】
0005591866.tif 000012